(57)【要約】【課題】構成部品の解体作業や交換作業を簡素化して、かかる作業に要する作業コストを低減することができる遊技機を提供すること。【解決手段】遊技盤１０の裏面側に入賞球集合カバー１１を取着したままの状態で、貫通穴１１ｃ，１１ｃから入賞球集合カバー１１の裏面側に露出された一対の係合突起５ｂ，５ｂが摘まれて、各アーム部５ａ，５ａが互いの対向方向へ撓み変形される。各アーム部５ａ，５ａの撓み変形により、係合突起５ｂ，５ｂが貫通穴１１ｃ，１１ｃの開口縁から外され、係合突起５ｂ，５ｂ及び貫通穴１１ｃ，１１ｃの係合状態が解除されて、入賞装置１と入賞球集合カバー１１との係着が解除される。この状態で、係合突起５ｂ，５ｂを貫通穴１１ｃ，１１ｃ内へ向けて押し込むと、入賞装置１が取付穴１０ｂ内から遊技領域１０ａ面側へ向けて押され、入賞装置１が取付穴１０ｂから取り外し可能となる。【選択図】図４
2010194346.tif 000002
【特許請求の範囲】
【請求項１】
表面側に遊技領域が形成された遊技盤と、その遊技盤の表面側から裏面側へ向けて貫通して設けられた取付穴と、その取付穴内へ前記遊技盤の表面側から挿嵌されて前記遊技領域に配設される構成部品と、前記遊技盤の裏面側に取着され前記遊技領域へ打ち込まれた球を所定箇所へ誘導する球誘導部材とを備えた遊技機において、
前記構成部品から前記取付穴内へ延出され前記遊技盤を貫通して前記球誘導部材に到達する第１係合部と、
その第１係合部と着脱可能に係合されると共に前記球誘導部材または遊技盤に設けられる第２係合部とを備え、
その第２及び第１係合部の係合部分の少なくとも一部分を前記球誘導部材の裏面側に露出させるように構成されていることを特徴とする遊技機。
【発明の詳細な説明】
【技術分野】
【０００１】
本発明は、遊技盤に配設される構成部品を有する遊技機に関し、特に、その解体作業や構成部品の交換作業を簡素化して、かかる作業に要する作業コストを低減することができる遊技機に関するものである。
【背景技術】
【０００２】
パチンコ機などの遊技機は、球を打ち込んで遊技を行う遊技領域が形成された遊技盤を備え、この遊技盤には入賞装置やランプ装置等の複数の構成部品が配設されている。例えば、入賞装置は入賞口が形成される装置本体を備えており、この装置本体には、入賞装置を遊技盤の遊技領域面にねじ止めするため、遊技盤の遊技領域面と略平行な略板状の台板が設けられている。また、装置本体内には、入賞球を検出するための入賞球センサが収容されており、この入賞球センサからは入賞球の検出信号を送信するための通信線であるリード線が導出されている。
【０００３】
このように構成された入賞装置を遊技盤に取り付ける場合には、まず、遊技盤に取付穴を穿設する一方、装置本体内に入賞球センサを収容した後、その入賞球センサから導出されるリード線を遊技盤の取付穴に挿入し、リード線を遊技盤の裏面側へ導出させる。その後、装置本体の台板を遊技盤の遊技領域面に押さえつけながら、台板を遊技盤の遊技領域面にねじ止めするのである。
【０００４】
ところが、入賞装置などの構成部品の装置本体は軽量であるので、例えば、入賞球センサから導出されるリード線を取付穴に挿入する際に、かかるリード線が遊技盤の裏面側に配設される部品、例えば、入賞球集合カバーに突き当たってしまう。このようにリード線が突き当たると、台板を遊技盤の遊技領域面に当接させることができず、台板が遊技領域面から浮き上がってしまい、構成部品を遊技盤に取り付ける際にねじ止め不良が生じてしまうことがあった。
【０００５】
そこで、本願出願人は、装置本体に弾性仮止め片を設け、この弾性仮止め片により構成部品の装置本体を取付穴に仮止めすることを提案した。この弾性仮止め片は、その先端に楔状の係合突起が設けられており、この係合突起を取付穴の遊技盤裏面側の開口縁に引っ掛けることにより、装置本体を取付穴に仮止めして、構成部品を遊技盤に仮止めするものである。
【発明の概要】
【発明が解決しようとする課題】
【０００６】
しかしながら、上述した弾性仮止め片を有する構成部品を備えたパチンコ機は、遊技領域へ打ち込まれた球を所定箇所、例えば、機構盤に配設されるアウト球通路、セーフ球処理装置またはセーフ球排出通路へ誘導する入賞球集合カバーが遊技盤の裏面側に配設されており、この入賞球集合カバーにより遊技盤の裏面側が覆われてしまう。即ち、入賞球集合カバーにより取付穴が遊技盤の裏面側から覆われてしまうのである。
【０００７】
このため、かかるパチンコ機では、その構成部品を遊技盤から取り外す場合、入賞球集合カバーを遊技盤の裏面側から取り外さなければ、弾性仮止め片の係合突起を取付穴の遊技盤裏面側の開口縁から外すことができない。よって、例えば、構成部品の再利用やパチンコ機の廃棄をするために、かかる構成部品を遊技盤から取り外す場合には、遊技盤の裏面側から入賞球集合カバーを取り外さなければならない。このため、パチンコ機の解体作業が繁雑となって、解体作業に手間が掛かるため、作業コストが増加してしまうという問題点があった。
【０００８】
また、故障した構成部品を交換するために、その構成部品を遊技盤から取り外す場合には、遊技盤から入賞球集合カバーを取り外してから、弾性仮止め片の係合突起の係合を解除して、構成部品を取り外さなければならない。このため、構成部品の交換作業が煩雑となって、交換作業に手間が掛かるため、パチンコ機のメンテナンスコストが増加してしまうという問題点があった。
本発明は、上述した問題点を解決するためになされたものであり、構成部品の解体作業や交換作業を簡素化して、かかる作業に要する作業コストを低減することができる遊技機を提供することを目的としている。
【課題を解決するための手段】
【０００９】
この目的を達成するために請求項１記載の遊技機は、表面側に遊技領域が形成された遊技盤と、その遊技盤の表面側から裏面側へ向けて貫通して設けられた取付穴と、その取付穴内へ前記遊技盤の表面側から挿嵌されて前記遊技領域に配設される構成部品と、前記遊技盤の裏面側に取着され前記遊技領域へ打ち込まれた球を所定箇所へ誘導する球誘導部材とを備え、前記構成部品から前記取付穴内へ延出され前記遊技盤を貫通して前記球誘導部材に到達する第１係合部と、その第１係合部と着脱可能に係合されると共に前記球誘導部材または遊技盤に設けられる第２係合部とを備え、その第２及び第１係合部の係合部分の少なくとも一部分を前記球誘導部材の裏面側に露出させるように構成されている。
この請求項１記載の遊技機によれば、遊技盤の遊技領域へ打ち込まれた球は、遊技領域を落下し、例えば、入賞装置などの構成部品を介して、球誘導部材へ送られて所定箇所へ誘導される。構成部品は、遊技盤の表面側から取付穴内へ挿嵌されて遊技盤の遊技領域に配設されると、その第１係合部が取付穴内を貫通して球誘導部材に到達し、第１係合部が球誘導部材または遊技盤に設けられた第２係合部に着脱可能に係合される。しかも、かかる場合に、第１及び第２係合部の係合部分の少なくとも一部分は、球誘導部材の裏面側に露出される。よって、構成部品を遊技盤から取り外す場合には、球誘導部材の裏面側に露出された第１及び第２係合部の係合部分の一部分を球誘導部材の裏面側から操作して、かかる両係合部の係合状態を解除することができる。この第１及び第２係合部の係合を解除することにより、構成部品が遊技盤から取り外し可能とされる。
【発明の効果】
【００１０】
本発明の遊技機によれば、遊技盤に配設される構成部品の第１係合部は、遊技盤の取付穴内へ向けて延出され遊技盤を貫通して球誘導部材に到達し、第２係合部と着脱可能に係合される。しかも、かかる場合に、第１及び第２係合部の係合部分の少なくとも一部分は球誘導部材の裏面側に露出されるので、かかる両係合部の係合部分の一部分を球誘導部材の裏面側から操作して、その係合状態を解除することができる。よって、遊技盤に配設された構成部品を遊技盤から取り外すために、球誘導部材を遊技盤の裏面側から一々取り外す必要がなく、その分、遊技機の解体作業や構成部品の交換作業を簡素化して、かかる作業に要する作業コストを低減することができるという効果がある。
【図面の簡単な説明】
【００１１】
【図１】本実施例におけるパチンコ機の構成部品としての入賞装置の分解斜視図である。
【図２】入賞装置と、その入賞装置が配設される遊技盤と、その遊技盤の裏面側に取着される入賞球集合カバーとの分解斜視図である。
【図３】遊技盤に取着された入賞球集合カバーに係合部材を係着した状態を示す入賞装置の側断面図である。
【図４】図３のＩＶ−ＩＶ線における平断面図である。
【図５】第２実施例のパチンコ機における入賞装置、遊技盤及び入賞球集合カバーの組立状態を示す平断面図である。
【図６】第３実施例のパチンコ機における入賞装置、遊技盤及び入賞球集合カバーの組立状態を示す平断面図である。
【図７】第４実施例のパチンコ機における入賞装置、遊技盤及び入賞球集合カバーの組立状態を示す平断面図である。
【図８】第５実施例のパチンコ機における入賞装置、遊技盤及び入賞球集合カバーの組立状態を示す平断面図である。
【図９】（ａ）は、第６実施例のパチンコ機における入賞装置、遊技盤及び入賞球集合カバーの組立状態を示す平断面図であり、（ｂ）は、入賞球集合カバーを裏面側から斜視した斜視図である。
【図１０】図９におけるＸＩ−ＸＩ線における横断面図である。
【図１１】第７実施例のパチンコ機における入賞装置、遊技盤及び入賞球集合カバーの組立状態を示す平断面図の平断面図である。
【図１２】第８実施例のパチンコ機における入賞装置、遊技盤及び入賞球集合カバーの組立状態を示す平断面図の平断面図である。
【図１３】第９実施例のパチンコ機における入賞装置と、その入賞装置が配設される遊技盤と、その遊技盤の裏面側に取着される入賞球集合カバーとの分解斜視図である。
【図１４】、入賞装置、遊技盤及び入賞球集合カバーの組立状態を示す平断面図の平断面図である。
【発明を実施するための形態】
【００１２】
以下、本発明の好ましい実施例について、添付図面を参照して説明する。本実施例では、遊技機の一例として、いわゆる第１種パチンコ機を用いて説明する。図１は、本実施例におけるパチンコ機の構成部品としての入賞装置の分解斜視図である。なお、図１では、矢印Ｒ１がホルダ部材４の後側左縁から延出される一方の係合部材５の撓み方向を、矢印Ｒ２がホルダ部材４の後側右縁から延出される他方の係合部材５の撓み方向を、それぞれ示している。
【００１３】
図１に示すように、入賞装置１は、後述する遊技盤１０の遊技領域１０ａ（図２参照）面側に配設される装置本体２と、この装置本体２内に収容され球Ｐを検出する入賞球センサ３と、その入賞球センサ３を保持して取付穴１０ｂ（図２参照）に挿嵌されるホルダ部材４と、そのホルダ部材４を後述する入賞球集合カバー１１（図２参照）に係着するための一対の係合部材５，５とを備えている。この入賞装置１は、上記の装置本体２及びホルダ部材４によって中空の筐体状に形成されており、その内部に入賞球センサ３を収容可能に構成されている。
【００１４】
装置本体２は、正面視左右対称に形成されており、その後側部分に略平板状の台板２ａが設けられている。この台板２ａの前面側には中空枠状の前面カバー２ｂが取着され、この前面カバー２ｂの左右両側面には略矩形状の連結穴２ｃ，２ｃがそれぞれ穿設されている。各連結穴２ｃ，２ｃは、装置本体２とホルダ部材４とを連結するためのものであり、後述するホルダ部材４の連結片４ｃ，４ｃにおける連結突起４ｄ，４ｄ（後述する）が填り込み可能に形成されている。
【００１５】
前面カバー２ｂの上面には、球Ｐが入賞可能な入賞口２ｄが形成されており、この入賞口２ｄの下方には、球Ｐの入賞を検出する入賞球センサ３の前側部分を収容可能な収容空間２ｅが形成されている。一方、この収容空間２ｅの後側には、台板２ａの裏面側と連通した挿入穴２ｆが形成されており、この挿入穴２ｆから入賞球センサ３の前側部分を収容空間２ｅ内へ挿入して収容することができるのである。
【００１６】
入賞球センサ３は、略矩形板状の磁気センサで構成されており、その前側部分の上面には上下方向に貫通した略円形状の検出穴３ａが形成されている。この検出穴３ａは、入賞口２ｄへ入賞する球Ｐが通過可能に形成されており、その開口縁部には金属線（図示せず）が周回されて電磁コイル（図示せず）が形成されている。よって、検出穴３ａを球Ｐが通過することにより、電磁コイルに通電される電流値が変化し、この電流値の変化により球Ｐの検出穴３ａの通過、即ち、入賞口２ｄへの球Ｐの入賞を検出することができるのである。
【００１７】
また、入賞球センサ３の後側部分には、検出穴３ａに形成された電磁コイルと電気的に接続されたリード線３ｂが導出されており、このリード線３ｂの後端にはコネクタ３ｃが取着されている。入賞球センサ３は、リード線３ｂ及びコネクタ３ｃを介してパチンコ機の遊技の制御を行う主制御基板（図示せず）に接続可能に構成されており、このコネクタ３ｃ及びリード線３ｂによって検出穴３ａを通過した球Ｐの検出信号を主制御基板へ送信することができる。
【００１８】
ホルダ部材４は、その上部に正面視略矩形状に仕切られた収容空間４ａが形成されている。この収容空間４ａは、入賞球センサ３の後側部分を収容可能に形成されており、ホルダ部材４の前後方向に貫通して形成されている。よって、この収容空間４ａ内に入賞球センサ３の後側部分が収容された場合に、リード線３ｂをホルダ部材４の後方へ導出させることができるのである。また、収容空間４ａの下方には、案内通路４ｂが設けられている。
【００１９】
この案内通路４ｂは、上述した入賞球センサ３の検出穴３ａを通過した球Ｐを、入賞装置１の後方へ案内するための通路であり、その底面が装置本体２側からホルダ部材４の後方へ向けて下降傾斜されている。よって、この案内通路４ｂへ進入した球Ｐを入賞装置１（ホルダ部材４）の後方へ転動させて案内することができるのである。また、ホルダ部材４の収容空間４ａの前面左右両側には連結片４ｃ，４ｃが装置本体２の裏面側へ向けてそれぞれ延出されている。
【００２０】
この連結片４ｃ，４ｃは、上述した装置本体２とホルダ部材４とを連結するためのものであり、この連結片４ｃ，４ｃの先端側（図１の手前側）には、その外側面から外方へ突出された略楔状の連結突起４ｄ，４ｄが突設されている。これらの連結突起４ｄ，４ｄは、装置本体２の連結穴２ｃ，２ｃに填り込み可能に形成されており、この連結穴２ｃ，２ｃに填り込むことにより台板２ａの前面に引っ掛かり係合されるように形成されている。よって、かかる連結突起４ｄ，４ｄの係合により、装置本体２とホルダ部材４とを連結して合体させることができるのである。
【００２１】
また、収容空間４ａの後側上部には、収容空間４ａの内周上面に沿ってホルダ部材４の後方へ延出されたセンサ押さえ片４ｅが設けられ、このセンサ押さえ片４ｅは、ホルダ部材４の外方（図１の上方）へ向けて弾性的に撓み変形可能に形成されている。センサ押さえ片４ｅには、その先端に下方（収容空間４ａの内周側）へ突出された押さえ突起４ｆが設けられている。この押さえ突起４ｆは、ホルダ部材４の収容空間４ａに入賞球センサ３が収容された場合、その入賞球センサ３の後端に引っ掛かり係合するように形成されている。よって、この押さえ突起４ｆの係合により、入賞球センサ３がホルダ部材４の収容空間４ａから抜け落ちることが防止されるのである。
【００２２】
ホルダ部材４の後側左右両縁には、入賞装置１を後述する入賞球集合カバー１１に係着するために、一対の係合部材５，５が設けられている。この係合部材５，５は略平板状のアーム部５ａをそれぞれ備えており、この各アーム部５ａの一端がホルダ部材４とそれぞれ連設されている。各アーム部５ａ，５ａは、ホルダ部材４の後側左縁および後側右縁からホルダ部材４の後方（装置本体２の反配設側）に向かって延出されており、その延出部分の先端部には、先端側に向かって厚みが先細りとなる楔状体である係合突起５ｂ，５ｂが連設して形成されている。なお、係合部材５，５の更なる詳細は後述する。
【００２３】
図２は、上述した入賞装置１と、その入賞装置１が配設される遊技盤１０と、その遊技盤１０の裏面側に取着される入賞球集合カバー１１との分解斜視図であり、図中では、遊技盤１０を２点鎖線で図示している。
【００２４】
遊技盤１０は、木製の合板材で略平板状に形成されており、その前面側（遊技盤の表面側）に球Ｐを打ち込んで遊技を行う遊技領域１０ａが形成されている。この遊技盤１０には、その遊技領域１０ａ面側から裏面１０ｃ側へ貫通した取付穴１０ｂが形成されている。取付穴１０ｂは、その開口形状が入賞装置１のホルダ部材４の外形に適合して形成されており、そのホルダ部材４を挿嵌可能に形成されている。
【００２５】
また、上述した入賞装置１の台板２ａは、その裏面（遊技領域１０ａとの対向面）が取付穴１０ｂの開口より大きく形成されており、かかる入賞装置１のホルダ部材４が取付穴１０ｂに挿嵌された場合に、取付穴１０ｂを覆い隠せるように形成されている。よって、台板２ａにより取付穴１０ｂの内部が露出することが防止されるので、パチンコ機の美観を維持することができるのである。
【００２６】
入賞球集合カバー１１は、入賞装置１の入賞口２ｄへ入賞した球Ｐを遊技領域１０ａの外部へ排出するための部材であり、遊技盤１０の裏面１０ｃ側に取着される。入賞球集合カバー１１は、遊技盤１０の裏面１０ｃと略平行な一対の平板状のベース板１１ａ，１１ａを備え、各ベース板１１ａ，１１ａの対向する一端辺には、遊技盤１０の非配設側（後方）へ向けて一対の平板状の側壁板１１ｂ１，１１ｂ１が立設されている。
【００２７】
この一対の側壁板１１ｂ１，１１ｂ１の後端は、同じく平板状の後壁板１１ｂ２に連設されている。このため、入賞球集合カバー１１には、これらの３枚の側壁板１１ｂ１，１１ｂ１、後壁板１１ｂ２により、遊技盤１０との対向面が開放された断面視略コ字状の排出樋１１ｂが形成されている。この排出樋１１ｂの内部は、球Ｐが通過可能に形成されており、この排出樋１１ｂにより球Ｐを遊技領域１０ａの外部へ排出することができるのである。
【００２８】
一方、ベース板１１ａ，１１ａには、その排出樋１１ｂの左右両側部分に略矩形状の開口である貫通穴１１ｃ，１１ｃが穿設されている。この貫通穴１１ｃ，１１ｃは、上述した入賞装置１の係合部材５，５を入賞球集合カバー１１の裏面側へ露出させ、且つ、係合突起５ｂ，５ｂを係合するための開口であり、ベース板１１ａの厚さ方向に貫通して形成され、係合突起５ｂ，５ｂを挿入可能に形成されている。よって、これらの貫通穴１１ｃ，１１ｃに係合突起５ｂ，５ｂを係合した場合には、その係合突起５ｂ，５ｂを入賞球集合カバー１１の裏面側へ露出させることができる。
【００２９】
このように、係合突起５ｂ，５ｂが入賞球集合カバー１１の裏面側に露出されることにより、遊技盤１０の裏面１０ｃ側に入賞球集合カバー１１を取着した状態のまま、係合突起５ｂ，５ｂと貫通穴１１ｃ，１１ｃとの係合状態を入賞球集合カバー１１の裏面側から解除することができる。
【００３０】
図３は、遊技盤１０に取着された入賞球集合カバー１１に係合部材５を係着した状態を示す入賞装置１の側断面図であり、図中の矢印は、球Ｐの流下経路を示している。図３に示すように、入賞装置１は、その装置本体２が遊技盤１０の遊技領域１０ａ側に露出されつつ配設される一方、そのホルダ部材４が取付穴１０ｂ内に挿嵌されている。この取付穴１０ｂの内周下面から内周上面までの高さは、ホルダ部材４の下端面から上端面までの高さと略等しくされている。よって、入賞装置１のホルダ部材４が取付穴１０ｂ内に挿嵌された場合に、ホルダ部材４が取付穴１０ｂ内で上下方向にガタつくことを防止することができる。
【００３１】
また、遊技盤１０の裏面側、即ち、遊技領域１０ａ面側の反対側面には上述した入賞球集合カバー１１が取着され、入賞球集合カバー１１の排出樋１１ｂ内部と、ホルダ部材４の案内通路４ｂとが連通されている。一方、入賞装置１の装置本体２の入賞口２ｄの下方には、入賞口２ｄ及び検出穴３ａと連通し、且つ、ホルダ部材４の案内通路４ｂと連通する案内通路２ｇが設けられている。よって、入賞口２ｄへ入賞し検出穴３ａを通過した球Ｐは、案内通路２ｇを介してホルダ部材４の案内通路４ｂへ案内され、この案内通路４ｂを通過して入賞球集合カバー１１の排出樋１１ｂへ排出されるのである。
【００３２】
図４は、図３のＩＶ−ＩＶ線における平断面図であり、図４では球Ｐを２点鎖線で図示している。尚、図４では、矢印Ｒ１がホルダ部材４の後側左縁（図４の右上側）から延出された一方の係合部材５の撓み方向を示している。また、図４では、矢印Ｒ２がホルダ部材４の後側右縁（図４の右下側）から延出された他方の係合部材５の撓み方向を示している。
【００３３】
一対の係合部材５，５のアーム部５ａ，５ａは、互いの対向方向（図４の矢印Ｒ１，Ｒ２方向）へ弾性的に撓み変形可能にそれぞれ形成されている。しかも、各アーム部５ａ，５ａは、その間隔幅がホルダ部材４との連設部分から係合突起５ｂ，５ｂ側へ向かうに従って幅広となるようにされている。即ち、アーム部５ａ，５ａは、その係合突起５ｂ，５ｂ端側の間隔幅がホルダ部材４端側の間隔幅より大きくなるようにホルダ部材４にそれぞれ連設されている。
【００３４】
また、各係合突起５ｂ，５ｂは、そのアーム部５ａ，５ａの先端部分の外側面（非対向面）から外方へ向けて突出されている。アーム部５ａ，５ａにおける係合突起５ｂ，５ｂの付け根部Ｂ，Ｂ間の間隔幅は、入賞装置１が遊技盤１０及び入賞球集合カバー１１から取り外された状態で、貫通穴１１ｃ，１１ｃの外側縁辺間の間隔幅より若干大きくなるようにされている。よって、係合部材５，５の係合突起５ｂ，５ｂが貫通穴１１ｃ，１１ｃに係合された場合に、アーム部５ａ，５ａの弾性復元力によって、入賞装置１が取付穴１０ｂ内でガタつくことを防止することができる。
【００３５】
更に、各係合突起５ｂの頂部Ａから台板２ａまでの長さは、遊技盤１０の板厚と入賞球集合カバー１１におけるベース板１１ａの板厚との合計厚さとほぼ一致するようにされている。よって、入賞装置１のホルダ部材４が取付穴１０ｂ内に挿嵌され、係合突起５ｂ，５ｂが貫通穴１１ｃ，１１ｃの開口縁に係合された場合に、入賞装置１が取付穴１０ｂの貫通方向にガタつくことを防止することができる。
【００３６】
各係合突起５ｂ，５ｂは、これらに対応して入賞球集合カバー１１に形成された貫通穴１１ｃ，１１ｃにおけるベース板１１ａ，１１ａ裏面側（図２の右面側）の開口縁に引っ掛けられ係合されている。この係合によって、入賞装置１を取付穴１０ｂから抜き取り不可能な状態で遊技盤１０に配設することができるのである。また、各係合突起５ｂの外側面には、係合部材５の先端側（図４の右側）から係合突起５ｂの頂部Ａへ向かうに従って外方へ隆起するように傾斜されたテーパ面５ｃがそれぞれ形成されており、このテーパ面５ｃを介して、一対の係合部材５，５を取付穴１０ｂ及び貫通穴１１ｃ，１１ｃへ挿入する際に案内することができるのである。
【００３７】
次に、上記のように構成された入賞装置１の組立方法について説明する。まず、図１に示す状態で、装置本体２の裏面側からホルダ部材４を近接させ、一対の連結片４ｃ，４ｃを装置本体２の連結穴２ｃ，２ｃへ填め込むと、各連結片４ｃ，４ｃの各連結突起４ｄ，４ｄが台板２ａの前面に引っ掛かり係合される。この係合により装置本体２とホルダ部材４とが合体され一体化される。その後、指などでセンサ押さえ片４ｅが摘まれ外方（図１の上方）へ向けて弾性的に撓められ、この状態でホルダ部材４の後方から収容空間４ａ内へ入賞球センサ３の検出穴３ａ端側（前側部分）が挿入される。
【００３８】
この入賞球センサ３の挿入を更に続行すると、入賞球センサ３の検出穴３ａ端側が装置本体２の収容空間２ｅ内に到達し収容され、且つ、入賞球センサ３における検出穴３ａ端側の反対端がホルダ部材４の収容空間４ａ内に収容される。この収容後、センサ押さえ片４ｅを離すと、その弾性復元力によりセンサ押さえ片４ｅが元の位置に復帰し、図３に示すように押さえ突起４ｆが入賞球センサ３の後端（図３の右側端）に係合される。この係合により、入賞球センサ３が装置本体２の収容空間２ｅ及びホルダ部材４の収容空間４ａ内から抜け落ちることを防止することができる。以上のように、入賞装置１の組み立てが完了する。
【００３９】
次に、上記のように組み立てられた入賞装置１の遊技盤１０への取付方法について説明する。まず、遊技盤１０の裏面１０ｃ側に入賞球集合カバー１１がねじ止め等により取着される。この入賞球集合カバー１１が遊技盤１０に取着されると、取付穴１０ｂの開口内周に対応して、入賞球集合カバー１１の貫通穴１１ｃ，１１ｃが配置される。その後、入賞装置１が遊技盤１０の遊技領域１０ａ面側に配設される。
【００４０】
かかる場合、まず、入賞装置１の一対の係合部材５，５の先端（係合突起５ｂ，５ｂ側端）が遊技領域１０ａ面側から取付穴１０ｂ内へ向けられる。その後、入賞装置１を遊技盤１０の遊技領域１０ａ面へ近接させると、一対の係合部材５，５のテーパ面５ｃ，５ｃが取付穴１０ｂの左右両開口縁に当接される。この当接後、入賞装置１を取付穴１０ｂ内へ向けて押し込むと、テーパ面５ｃ，５ｃを介して、各係合部材５，５のアーム部５ａ，５ａが互いの対向方向（図１の矢印Ｒ１及び矢印Ｒ２方向）へ向けて弾性的に撓み変形され、一対の係合部材５，５が取付穴１０ｂ内へ入り込む。
【００４１】
その後、入賞装置１を更に取付穴１０ｂ内へ押し込むと、ホルダ部材４が取付穴１０ｂ内に挿嵌される一方、各係合部材５，５の係合突起５ｂ，５ｂが入賞球集合カバー１１の貫通穴１１ｃ，１１ｃ内へ挿入される。この押し込みに伴って、装置本体２の台板２ａの裏面側が遊技盤１０の遊技領域１０ａ面と当接されると、係合部材５，５の各係合突起５ｂ，５ｂが各貫通穴１１ｃ，１１ｃを貫通し、各係合突起５ｂ，５ｂが各貫通穴１１ｃ，１１ｃから入賞球集合カバー１１の裏面側（図４の右側）に突出され露出される。
【００４２】
その結果、各係合突起５ｂ，５ｂの頂部Ａが貫通穴１１ｃ，１１ｃにおける入賞球集合カバー１１裏面側の開口縁に到達すると、アーム部５ａ，５ａの弾性復元力によって、係合部材５，５の係合突起５ｂ，５ｂが外方に押し広げられ、図４に示すように各係合突起５ｂ，５ｂが貫通穴１１ｃ，１１ｃにおける入賞球集合カバー１１裏面側の開口縁に係合される。この係合突起５ｂ，５ｂの係合により、入賞装置１の係合部材５，５と入賞球集合カバー１１との係着が完了し、入賞装置１の遊技盤１０への配設が完了する。
【００４３】
次に、上記のようにして、遊技盤１０に配設された入賞装置１の取り外し方法について説明する。入賞装置１を遊技盤１０から取り外す場合には、まず、遊技盤１０の裏面１０ｃ側、即ち、入賞球集合カバー１１の裏面側から取り外し作業が行われる。かかる場合には、遊技盤１０の裏面側に入賞球集合カバー１１を取着したままの状態で、貫通穴１１ｃ，１１ｃから入賞球集合カバー１１の裏面側に露出された一対の係合突起５ｂ，５ｂが摘まれて（操作されて）、各アーム部５ａ，５ａが互いの対向方向へ撓み変形される。
【００４４】
各アーム部５ａ，５ａの撓み変形により、係合突起５ｂ，５ｂが貫通穴１１ｃ，１１ｃの開口縁から外され、係合突起５ｂ，５ｂ及び貫通穴１１ｃ，１１ｃの係合状態が解除されて、入賞装置１と入賞球集合カバー１１との係着が解除される。この状態で、係合突起５ｂ，５ｂを貫通穴１１ｃ，１１ｃ内へ向けて押し込むと、入賞装置１が取付穴１０ｂ内から遊技領域１０ａ面側へ向けて押され、入賞装置１が取付穴１０ｂから取り外し可能となる。
【００４５】
以上説明したように、本実施例のパチンコ機によれば、遊技盤１０に配設される入賞装置１の一対の係合部材５，５は、その係合突起５ｂ，５ｂが入賞球集合カバー１１の各貫通穴１１ｃ，１１ｃの開口縁に係合され、その貫通穴１１ｃ，１１ｃを介して係合突起５ｂ，５ｂを入賞球集合カバー１１の裏面側に突出させて露出させるように構成されている。
【００４６】
よって、入賞装置１を遊技盤１０から取り外す場合には、遊技盤１０の裏面１０ｃ側に入賞球集合カバー１１を取着したままの状態で、貫通穴１１ｃ，１１ｃから露出された係合突起５ｂ，５ｂを摘んで、各アーム部５ａ，５ａを互いの対向方向へ撓ませることにより係合突起５ｂ，５ｂと貫通穴１１ｃ，１１ｃの開口縁との係合状態を解除することができる。従って、遊技盤１０に配設される入賞装置１は、入賞球集合カバー１１を遊技盤１０の裏面１０ｃ側から取り外すことなく、遊技盤１０及び入賞球集合カバー１１から取り外されるので、その分、パチンコ機の解体作業や入賞装置１の交換作業を簡素化して、かかる作業に要する作業コストを低減することができるのである。
【００４７】
次に、図５から図１３を参照して、上記した第１実施例の変形例について説明する。図５は、第２実施例のパチンコ機における入賞装置２０、遊技盤１０及び入賞球集合カバー１１の組立状態を示す平断面図であり、図５では球Ｐを２点鎖線で図示している。第２実施例のパチンコ機は、第１実施例のパチンコ機に対して、入賞装置の係合部材と入賞球集合カバーとの係合位置を変更したものである。以下、第１実施例と同一の部分には、同一の符号を付してその説明を省略し、異なる部分のみ説明する。
【００４８】
入賞装置２０の一対の係合部材２１，２１は、略平板状のアーム部２１ａをそれぞれ備えており、このアーム部２１ａの一端（図５の左端側）がホルダ部材４の後端とそれぞれ連設されている。各係合部材２１，２１の各アーム部２１ａ，２１ａは、ホルダ部材４の後側左縁（図５の上側）と後側右縁（図５の下側）とからホルダ部材４の後方（装置本体２の反配設側）に向かって延出されている。しかも、各アーム部２１ａ，２１ａは、その非対向方向（外方）へ向けて弾性的に撓み変形可能にそれぞれ形成されている。
【００４９】
各アーム部２１ａ，２１ａは、入賞球集合カバー１１の貫通穴１１ｃ，１１ｃを貫通して、排出樋１１ｂを挟み込むように入賞球集合カバー１１の裏面側に延出され、入賞球集合カバー１１の裏面側に露出されている。また、各アーム部２１ａ，２１ａの延出部分には、その先端側（図５の右側）に向かって厚みが先細りとなる楔状体である係合突起２１ｂ，２１ｂが連設して形成されている。各係合突起２１ｂ，２１ｂは、そのアーム部２１ａ，２１ａとの連設部分における内側面（対向面）から内方へ向けて突出されており、入賞球集合カバー１１の後壁板１１ｂ２にそれぞれ係合されている。
【００５０】
この第２実施例のパチンコ機によれば、入賞球集合カバー１１の裏面側から各係合部材２１，２１の各アーム部２１ａ，２１ａを互いの非対向方向（外方）へ向けて押し開き撓み変形させることにより、各係合突起２１ｂ，２１ｂと入賞球集合カバー１１の後壁板１１ｂ２との係合状態を解除することができる。よって、遊技盤１０の裏面１０ｃから入賞球集合カバー１１を取り外さずに、入賞装置２０と入賞球集合カバー１１との係着状態を解除して、入賞装置２０を遊技盤１０から取り外し可能とすることができるのである。
【００５１】
尚、請求項１記載の第２係合部としては排出樋１１ｂが、第１及び第２係合部の係合部分としては係合突起２１ｂ，２１ｂ及び後壁板１１ｂ２が、それぞれ該当する。
【００５２】
図６は、第３実施例のパチンコ機における入賞装置３０、遊技盤１０及び入賞球集合カバー３２の組立状態を示す平断面図であり、図６では球Ｐを２点鎖線で図示している。第３実施例のパチンコ機は、第１実施例のパチンコ機に対して、入賞装置の係合部材と入賞球集合カバーとの係合位置を変更したものである。以下、第１実施例と同一の部分には、同一の符号を付してその説明を省略し、異なる部分のみ説明する。
【００５３】
入賞装置３０の一対の係合部材３１，３１は、略平板状のアーム部３１ａをそれぞれ備えており、このアーム部３１ａの一端（図６の左端側）がホルダ部材４の後端と連設されている。各係合部材３１，３１の各アーム部３１ａ，３１ａは、ホルダ部材４の後側左縁（図６の上側）と後側右縁（図６の下側）からホルダ部材４の後方（装置本体２の反配設側）に向かって延出されている。しかも、各アーム部３１ａ，３１ａは、その非対向方向（外方）へ向けて弾性的に撓み変形可能にそれぞれ形成されている。
【００５４】
各アーム部３１ａ，３１ａは、入賞球集合カバー３２の貫通穴１１ｃ，１１ｃを貫通して、排出樋１１ｂを挟み込むように入賞球集合カバー３２の裏面側に延出されて露出されている。各アーム部３１ａ，３１ａの延出部分には、その先端側（図６の右側）に向かって厚みが先細りとなる楔状体である係合突起３１ｂ，３１ｂが連設して形成されている。各係合突起３１ｂ，３１ｂは、そのアーム部３１ａ，３１ａとの連設部分における内側面（対向面）から内方へ向けて突出されており、入賞球集合カバー３２の排出樋１１ｂの側壁板１１ｂ１，１１ｂ１にそれぞれ凹設された係合凹部３２ａ，３２ａに係合されている。
【００５５】
この第３実施例のパチンコ機によれば、入賞球集合カバー３２の裏面側から、各係合部材３１，３１の各アーム部３１ａ，３１ａを互いの非対向方向（外方）へ向けて押し開き撓み変形させることにより、各係合突起３１ｂ，３１ｂと係合凹部３２ａ，３２ａとの係合状態を容易に解除することができる。よって、遊技盤１０の裏面１０ｃから入賞球集合カバー３２を取り外さずに、入賞装置３０と入賞球集合カバー３２との係着状態を解除して、入賞装置３０を遊技盤１０から取り外し可能とすることができるのである。
【００５６】
尚、請求項１記載の第２係合部としては排出樋１１ｂが、第１及び第２係合部の係合部分としては係合突起３１ｂ，３１ｂ及び係合凹部３２ａ，３２ａが、それぞれ該当する。
【００５７】
図７は、第４実施例のパチンコ機における入賞装置４０、遊技盤１０及び入賞球集合カバー４２の組立状態を示す平断面図であり、図７では球Ｐを２点鎖線で図示している。第４実施例のパチンコ機は、第１実施例のパチンコ機に対して、入賞装置の係合部材と入賞球集合カバーとの係着手段を変更したものである。以下、第１実施例と同一の部分には、同一の符号を付してその説明を省略し、異なる部分のみ説明する。
【００５８】
入賞装置４０の一対の係合部材４１，４１は、略平板状のアーム部４１ａをそれぞれ備えており、このアーム部４１ａの一端（図７の左端側）がホルダ部材４の後端と連設されている。各係合部材４１，４１の各アーム部４１ａ，４１ａは、ホルダ部材４の後側左縁（図７の上側）と後側右縁（図７の下側）からホルダ部材４の後方（装置本体２の反配設側）に向かって延出されている。しかも、各アーム部４１ａ，４１ａは、その非対向方向（外方）へ向けて弾性的に撓み変形可能にそれぞれ形成されている。
【００５９】
各アーム部４１ａ，４１ａは、入賞球集合カバー４２の貫通穴１１ｃ，１１ｃを貫通して、排出樋１１ｂを挟み込むように入賞球集合カバー４２の裏面側に延出されて露出されている。各アーム部４１ａ，４１ａの延出部分の先端側には、その互いの対向面（内面）側から非対向面（外面）側へ貫通する係合穴４１ｂ，４１ｂが穿設されている。
【００６０】
一方、入賞球集合カバー４２の側壁板１１ｂ１，１１ｂ１の外面側には、係合穴４１ｂ，４１ｂに填り込み可能な係合突起４２ａ，４２ａが外方へ向けて突出されており、この係合突起４２ａ，４２ａは、係合部材４１，４１の係合穴４１ｂ，４１ｂにそれぞれ填り込んで係合されている。また、各係合突起４２ａの外側面には、ベース板１１ａ側から後壁板１１ｂ２側（図７の左側から右側）へ向かうに従って外方へ隆起するように傾斜されたテーパ面４２ｂそれぞれ形成されている。よって、入賞装置４０が取付穴１０ｂへ押し込まれる場合に、一対の係合部材４１，４１の各アーム部４１ａ，４１ａは、その先端がテーパ面４２ｂ，４２ｂと摺接され、この摺接により互いの非対向方向へ撓んで押し広げられるのである。従って、この各アーム部４１ａ，４１ａの撓み変形により、係合穴４１ｂ，４１ｂと係合突起４２ａ，４２ａとを係合させることができるのである。
【００６１】
この第４実施例のパチンコ機によれば、入賞球集合カバー４２の裏面側から、各係合部材４１，４１の各アーム部４１ａ，４１ａを互いの非対向方向（外方）へ向けて押し開き撓み変形させることにより、各係合穴４１ｂ，４１ｂと係合突起４２ａ，４２ａとの係合状態を容易に解除することができる。よって、遊技盤１０の裏面１０ｃから入賞球集合カバー４２を取り外さずに、入賞装置４０と入賞球集合カバー４２との係着状態を解除して、入賞装置４０を遊技盤１０から取り外し可能とすることができるのである。
【００６２】
尚、請求項１記載の第２係合部としては排出樋１１ｂが、第１及び第２係合部の係合部分としては係合穴４１ｂ，４１ｂ及び係合突起４２ａ，４２ａが、それぞれ該当する。
【００６３】
図８は、第５実施例のパチンコ機における入賞装置５０、遊技盤１０及び入賞球集合カバー１１の組立状態を示す平断面図であり、図８では球Ｐを２点鎖線で図示している。第５実施例のパチンコ機は、第１実施例のパチンコ機に対して、入賞装置の係合部材に遊技盤１０の裏面１０ｃ側と係合される補助係合部材を設けたものである。以下、第１実施例と同一の部分には、同一の符号を付してその説明を省略し、異なる部分のみ説明する。
【００６４】
係合部材５１，５１の各アーム部５ａ，５ａには、その外面側（非対向面側）に補助係合突起５１ａ，５１ａが外方へ向けて突設されている。この補助係合突起５１ａ，５１ａは、各アーム部５ａ，５ａにおける係合突起５ｂ，５ｂ突設位置よりもホルダ部材４側に突設されており、遊技盤１０の裏面１０ｃに引っ掛けられ係合されている。このように、第５実施例の入賞装置５０では、係合突起５ｂ，５ｂと貫通穴１１ｃ，１１ｃとの係合に加えて、補助係合突起５１ａ，５１ａが遊技盤１０の裏面１０ｃに係合されるので、係合部材５１，５１による入賞装置５０と遊技盤１０及び入賞球集合カバー１１との係着状態をより強固にすることができる。
【００６５】
尚、請求項１記載の第２係合部としてはベース板１１ａ，１１ａ及び遊技盤１０の裏面１０ｃが、それぞれ該当する。また、第１及び第２係合部の係合部分としては係合突起５ｂ，５ｂ及び貫通穴１１ｃ，１１ｃと、補助係合突起５１ａ，５１ａ及び取付穴１０ｂの開口縁とが、それぞれ該当する。
【００６６】
図９（ａ）は、第６実施例のパチンコ機における入賞装置６０、遊技盤１０及び入賞球集合カバー６１の組立状態を示す平断面図であり、図９（ｂ）は、入賞球集合カバー６１を裏面側から斜視した斜視図である。第６実施例のパチンコ機は、第１実施例のパチンコ機に対して、係合部材５，５の係合突起５ｂ，５ｂを位置決めするための位置決め凹部を入賞球集合カバーに設けたものである。以下、第１実施例と同一の部分には、同一の符号を付してその説明を省略し、異なる部分のみ説明する。尚、図９（ａ）では球Ｐを２点鎖線で図示している。
【００６７】
図９（ｂ）に示すように、入賞球集合カバー６１のベース板１１ａ，１１ａ裏面（図９（ｂ）の手前側）には、各貫通穴１１ｃ，１１ｃの開口縁に位置決め凹部６１ａ，６１ａが凹設されており、この位置決め凹部６１ａ，６１ａは、図９（ａ）に示すように、係合突起５ｂ，５ｂを填め込み可能に形成されている。このように、第６実施例の入賞装置６０では、入賞球集合カバー１１の各貫通穴１１ｃ，１１ｃの開口縁に位置決め凹部６１ａ，６１ａが凹設されるので、その各位置決め凹部６１ａ，６１ａに係合部材５，５の係合突起５ｂ，５ｂを填め込み位置決めすることができる。よって、第６実施例のパチンコ機では、入賞球集合カバー６１に係着された入賞装置６０が球Ｐの衝突等により位置ズレすることを防止することができるのである。
【００６８】
尚、図１０に示すように、各貫通穴１１ｃ，１１ｃの内周面に略Ｖ字状の溝部１１ａ１，１１ａ１を切り欠く一方、各係合部材５，５における各アーム部５ａ，５ａの断面形状を溝部１１ａ１，１１ａ１の切欠形状に適合した山形状に形成しても良い。このようにすれば、係合部材５，５が貫通穴１１ｃ，１１ｃへ貫入された場合に、係合部材５，５と貫通穴１１ｃ，１１ｃの溝部１１ａ１，１１ａ１とが合致されるので、係合部材５，５を貫通穴１１ｃ，１１ｃ内で位置決めすることができる。しかも、各係合部材５，５のアーム部５ａ，５ａと、各貫通穴１１ｃ，１１ｃの溝部１１ａ１，１１ａ１が若干ズレていたとしても、係合部材５，５の各アーム部５ａ，５ａは、自らの弾性復元力によって互いに非対向方向へ広がるので、各アーム部５ａ，５ａを溝部１１ａ１，１１ａ１と合致するように図中の矢印Ｘ方向へ向けて移動させて、位置決めすることができるのである。
【００６９】
図１１は、第７実施例のパチンコ機における入賞装置７０、遊技盤１０及び入賞球集合カバー７２の組立状態を示す平断面図の平断面図であり、図１１では球Ｐを２点鎖線で図示している。第７実施例のパチンコ機は、第１実施例のパチンコ機に対して、入賞装置と入賞球集合カバーとの係着手段を変更したものである。以下、第１実施例と同一の部分には、同一の符号を付してその説明を省略し、異なる部分のみ説明する。
【００７０】
入賞装置７０は、一端（図１１の左端側）がホルダ部材４と連設された一対の係合部材７１，７１を備えており、この係合部材７１，７１は、ホルダ部材４の後側左縁（図１１の上側）と後側右縁（図１１の下側）からホルダ部材４の後方（装置本体２の反配設側）に向かって延出されている。この各係合部材７１，７１の先端部分（図１１の右側）には、平面視略円弧形状の係合突起７１ａ，７１ａが入賞球集合カバー７２側へ向けて突設され、係合突起７１ａと係合部材７１との連結部分両側には係合突起７１ａより幅狭な平面視略円弧状の窪み部７１ｂ，７１ｂがそれぞれ凹設されている。
【００７１】
一方、入賞球集合カバー７２のベース板１１ａ，１１ａには、その厚さ方向に貫通して係合突起７１ａ，７１ａが係合可能な貫通穴７２ａ，７２ａが形成されている。この貫通穴７２ａ，７２ａには、係合突起７１ａ，７１ａが係合されており、この係合突起７１ａ，７１ａは入賞球集合カバー７２の裏面側（図１１の右側面）に貫通して露出されている。各貫通穴７２ａは、その内径が係合突起７１ａの外形より若干小さく形成されており、その各貫通穴７２ａの開口縁部は係合部材７１の窪み部７１ｂ，７１ｂに填り込んでいる。かかる填り込みにより、係合突起７１ａ，７１ａが貫通穴７２ａ，７２ａと係合され、入賞装置７０が入賞球集合カバー７２に係着されている。
【００７２】
この第７実施例のパチンコ機では、入賞装置７０の貫通穴７２ａ，７２ａに係合された係合突起７１ａ，７１ａが貫通穴７２ａ，７２ａから入賞球集合カバー７２の裏面側に露出されるので、かかる係合突起７１ａ，７１ａを入賞球集合カバー７２の裏面側から遊技盤１０側へ向けて押し込むことにより、係合突起７１ａ，７１ａと貫通穴７２ａ，７２ａとの係合を解除することができる。よって、遊技盤１０の裏面１０ｃから入賞球集合カバー７２を取り外さずに、入賞装置７０と入賞球集合カバー７２との係着状態を解除して、入賞装置７０を遊技盤１０から取り外し可能とすることができるのである。
【００７３】
尚、請求項１記載の第２係合部としてはベース板１１ａ，１１ａが、第１及び第２係合部の係合部分としては係合突起７１ａ，７１ａ、窪み部７１ｂ，７１ｂ及び貫通穴７２ａ，７２ａが、それぞれ該当する。
【００７４】
図１２は、第８実施例のパチンコ機における入賞装置８０、遊技盤１０及び入賞球集合カバー８２の組立状態を示す平断面図の平断面図であり、図１２では球Ｐを２点鎖線で図示している。第８実施例のパチンコ機は、第１実施例のパチンコ機に対して、入賞装置と入賞球集合カバーとの係着手段を変更したものである。以下、第１実施例と同一の部分には、同一の符号を付してその説明を省略し、異なる部分のみ説明する。
【００７５】
入賞装置８０は、一端（図１２の左端側）がホルダ部材４と連設された一対の係合部材８１，８１を備えており、この係合部材８１，８１は、ホルダ部材４の後側左縁（図１２の上側）と後側右縁（図１２の下側）からホルダ部材４の後方（装置本体２の反配設側）に向かって延出されている。この各係合部材８１，８１の先端部分（図１２の右側）には、位置決め突起８１ａ，８１ａが入賞球集合カバー８２側へ向けて突設されている。
【００７６】
一方、入賞球集合カバー８２のベース板１１ａ，１１ａには、その厚さ方向に貫通して位置決め突起８１ａ，８１ａが嵌合可能な位置決め穴８２ａ，８２ａが貫通形成されている。この位置決め穴８２ａ，８２ａには係合部材８１，８１の位置決め突起８１ａ，８１ａが嵌合されており、この嵌合によって係合部材８１，８１を入賞球集合カバー８２に対して位置決めすることができる。また、位置決め突起８１ａ，８１ａの先端面には、ねじ穴８１ｂ，８１ｂがそれぞれ凹設されている。
【００７７】
このねじ穴８１ｂには、入賞球集合カバー８２の裏面側からビス８３のねじ部８３ａがねじ込まれている。ビス８３の頭部８３ｂの外径は位置決め穴８２ａの開口幅より大きく形成されており、ビス８３のねじ部８３ａがねじ穴８１ｂへねじ込まれた場合に、位置決め突起８１ａが位置決め穴８２ａから抜け外れることを防止することができる。このように、第８実施例のパチンコ機では、入賞球集合カバー８２と係合部材８１とが入賞球集合カバー８２の裏面側からビス８３によりねじ止めされるので、かかるビス８３の頭部８３ｂを入賞球集合カバー８２の裏面側から反ねじ込み方向へ回転させることにより、入賞装置８０を遊技盤１０から容易に取り外すことができるのである。
【００７８】
図１３は、第９実施例のパチンコ機における入賞装置９０と、その入賞装置９０が配設される遊技盤１０と、その遊技盤１０の裏面側に取着される入賞球集合カバー９２との分解斜視図である。第９実施例のパチンコ機は、第１実施例のパチンコ機に対して、入賞装置と入賞球集合カバーとの係着手段を変更したものである。以下、第１実施例と同一の部分には、同一の符号を付してその説明を省略し、異なる部分のみ説明する。尚、図１３中では、遊技盤１０を２点鎖線で図示している。
【００７９】
図１３に示すように、ホルダ部材４の後端左右両側には、入賞装置９０を後述する入賞球集合カバー９２に係着するための一対の係合部材９１，９１が設けられている。この係合部材９１，９１は略平板状のアーム部９１ａをそれぞれ備えており、このアーム部９１ａの一端（図１３の前端側）がホルダ部材４の後端と連設されている。
【００８０】
各アーム部９１ａ，９１ａは、ホルダ部材４の後側左縁と後側右縁からホルダ部材４の後方（装置本体２の反配設側）に向かって延出されている。この各アーム部９１ａ，９１ａの先端側には、各アーム部９１ａ，９１ａの非対向側へ向けて略平板状のステー部９１ｂ，９１ｂが連設して形成されている。また、この各ステー部９１ｂ，９１ｂの略中央部分には、その厚さ方向に後述する連結具９３のロック部材９３ａ（図１４参照）が挿嵌可能な円形状の挿嵌孔９１ｃがそれぞれ穿設されている。
【００８１】
一方、入賞球集合カバー９２のベース板１１ａ，１１ａには、その排出樋１１ｂの左右両側部分に略矩形状の開口である貫通穴９２ａ，９２ａが穿設されている。この貫通穴９２ａ，９２ａは、上述した係合部材９１，９１のステー部９１ｂ，９１ｂを入賞球集合カバー９２の裏面側へ延出させるための開口であり、ベース板１１ａの厚さ方向に貫通して形成されている。
【００８２】
また、これらの貫通穴９２ａ，９２ａの更に後方であって、排出樋１１ｂの側壁板１１ｂ１，１１ｂ１における外側面には、各側壁板１１ｂ１，１１ｂ１の非対向側へ向けて略平板状の取付片９２ｂ，９２ｂが垂設されている。取付片９２ｂ，９２ｂの略中央部分には、ステー部９１ｂ，９１ｂと同様に、後述する連結具９３のロック部材９３ａ（図１４参照）が挿嵌可能な円形状の挿嵌孔９２ｃが、係合部材９１の挿嵌孔９１ｃと重なり合う位置に、それぞれ穿設されている。
【００８３】
図１４は、入賞装置９０、遊技盤１０及び入賞球集合カバー９２の組立状態を示す平断面図であり、図１４では球Ｐを２点鎖線で図示している。図１４に示すように、連結具９３は、入賞装置９０の係合部材９１，９１と入賞球集合カバー９２とを連結するためのものであり、パネルファスナとして汎用されているナイラッチ（登録商標）で構成されている。この連結具９３は、その円筒状に形成されたロック部材９３ａと、そのロック部材９３ａ内に摺動可能に挿嵌されたボタン部材９３ｂとを備えている。ロック部材９３ａは、その先端部（図１４の左側端）に切り込みが設けられており、その外径方向へ開閉可能に形成されている。
【００８４】
この連結具９３によれば、そのロック部材９３ａが挿嵌孔９１ｃ，９２ｃに挿嵌された状態でボタン部材９３ｂが遊技盤１０側（図１４の左側）へ向けて押し込まれると、そのロック部材９３ａの先端部（図１４の左端部）が外径方向へ開かれ拡大されて、挿嵌孔９１ｃ内に係止される。かかる挿嵌孔９１ｃ内にロック部材９３ａの先端部が係止されることにより、ステー部９１ｂと取付片９２ｂとが連結され、入賞装置９０と入賞球集合カバー９２とが係着されるのである。
【００８５】
一方、連結具９３は、そのボタン部材９３ｂが遊技盤１０側と反対方向（図１４の右側）へ向けて引き出されると、そのロック部材９３ａの先端部（図１４の左端部）が閉じられ先端部の外径が縮小されて、挿嵌孔９１ｃ内から抜き取り可能となる。よって、連結具９３が係合部材９１のステー部９１ｂから取り外し可能となり、入賞装置９０が入賞球集合カバー９２から取り外し可能となるのである。
【００８６】
しかも、連結具９３のボタン部材９３ｂは、入賞球集合カバー９２の裏面側に設けられた取付片９２ｂに取り付けられるので、入賞球集合カバー９２を遊技盤１０の裏面１０ｃ側に取着した状態のまま、そのボタン部材９３ｂの操作を入賞球集合カバー９２の裏面側から行うことができるのである。
【００８７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００８８】
上記各実施例では、遊技機として第１種パチンコ機１を例に説明したが、第２種または第３種パチンコ機、或いは、スロットマシンなどの遊技機に本発明を適用するようにしても良い。
【００８９】
また、上記各実施例では、本発明の構成部品として入賞装置を例に説明したが、遊技盤に配設される他の部品、例えば、ランプ風車、可変表示装置、可変入賞装置等を構成部品として本発明を適用しても良い。
【００９０】
更に、上記各実施例では、係合部材の係合突起を入賞球集合カバーの貫入穴や排出樋に係合することにより、係合部材を入賞球集合カバーに係着した。しかしながら、係合部材の係合突起の係合箇所は、必ずしも入賞球集合カバーの貫入穴や排出樋に限られるものではなく、例えば、係合部材の係合突起を遊技盤の裏面側における取付穴の開口縁に係合しても良い。かかる場合には、係合部材の係合突起側の先端部分を貫通穴から入賞球集合カバーの裏面側へ露出させることにより、かかる係合部材の先端部分を入賞球集合カバーの裏面側から摘んで係合を解除することができるのである。
【００９１】
以下、本発明の変形例を示す。請求項１記載の遊技機において、前記第１及び第２係合部の係合部分の少なくとも一部分を前記球誘導部材の裏面側に露出させるため、前記取付穴と連通して前記球誘導部材に貫通形成された貫通穴を備えていることを特徴とする遊技機１。
【００９２】
遊技機１において、前記第１係合部は、その第１係合部の延出方向と略直交して突出される係合突起を有すると共に、その係合突起の突出方向および反突出方向と略同一方向へ弾性的に撓み変形可能に形成され、前記貫通穴は前記第１係合部の係合突起を貫入可能に形成され、前記第２係合部は前記係合突起と係合可能に形成された前記貫通穴の開口縁であることを特徴とする遊技機２。
【００９３】
遊技機２において、前記第１係合部の先端部分は、その第１係合部の先端側から前記係合突起の突出端側へ向かって隆起するように傾斜された案内斜面を有する楔状に形成され、その楔状に形成された第１係合部の先端部分は、前記貫通穴へ貫入されることにより、前記案内斜面がその貫通穴の開口縁と摺接し、その摺接に伴って前記係合突起の反突出方向と略同一方向へ弾性的に撓み変形可能に形成されていることを特徴とする遊技機３。
【００９４】
遊技機１、又は、請求項１記載の遊技機において、前記第２係合部は、前記遊技領域へ打ち込まれた球を所定箇所へ誘導するために前記球誘導部材に形成された誘導樋であり、前記第１係合部の先端部分は、前記構成部品を前記取付穴内へ挿嵌した場合に、前記遊技盤を貫通して前記球誘導部材の裏面側へ露出されるとともに、前記誘導樋に係合可能に形成されていることを特徴とする遊技機４。
【００９５】
遊技機４において、前記第１係合部の先端部分または誘導樋の一方はその第１係合部の先端部分または誘導樋の他方へ向けて突出される係合突起を備え、前記第１係合部の先端部分または誘導樋の他方は前記係合突起と係合可能な係合凹部または係合穴を備え、前記第１係合部は前記係合突起の突出方向および反突出方向と略同一方向へ弾性的に撓み変形可能に形成されていることを特徴とする遊技機５。
【００９６】
遊技機１から５のいずれか、又は、請求項１記載の遊技機において、前記第１又は第２係合部の一方は、その第１及び第２係合部が係合される場合に、その第１又は第２係合部の他方を填め込み可能に形成された位置決め凹部を備えていることを特徴とする遊技機６。
【００９７】
表面側に遊技領域が形成された遊技盤と、その遊技盤の表面側から裏面側へ向けて貫通して設けられた取付穴と、その取付穴内へ前記遊技盤の表面側から挿嵌されて前記遊技領域に配設される構成部品と、前記遊技盤の裏面側に取着され前記遊技領域へ打ち込まれた球を所定箇所へ誘導する球誘導部材とを備えた遊技機において、前記構成部品から前記取付穴内へ延出され前記遊技盤を貫通して前記球誘導部材に到達する第１連結部と、その第１連結部に対応して前記球誘導部材または遊技盤に設けられる第２連結部と、その第２及び第１連結部を連結して前記構成部品を球誘導部材に係着させる係着部材とを備え、その係着部材は、前記第１及び第２連結部の連結状態を解除するため、前記球誘導部材の裏面側に連結解除操作部を備えていることを特徴とする遊技機７。
【００９８】
遊技機１から７のいずれか、又は、請求項１記載の遊技機において、前記構成部品は、前記遊技盤の遊技領域面側に配設され、且つ、前記取付穴を覆い塞ぐ覆設部材を備えていることを特徴とする遊技機８。
【符号の説明】
【００９９】
１，２０，３０，４０，５０，６０，７０  入賞装置（構成部品）
２ａ        台板（覆設部材）
５，２１，３１，４１，７１  係合部材（第１係合部）
５ｂ        係合突起（第１及び第２係合部の係合部分の一部、係合突起）
５ｃ        テーパ面（案内斜面）
１０        遊技盤
１０ａ      遊技領域
１０ｂ      取付穴
１１，３２，４２，６１，７２  入賞球集合カバー（球誘導部材）
１１ａ      ベース板（第２係合部の一部、第１及び第２係合部の係合部分の一部、貫入穴の開口縁）
１１ａ１    溝部（位置決め凹部）
１１ｂ      排出樋（誘導樋）
１１ｃ      貫通穴（第２係合部の一部、第１及び第２係合部の係合部分の一部、貫通穴）
８０，９０  入賞装置（構成部品）
８１，９１  係合部材（第１連結部）
８２，９２  入賞球集合カバー（球誘導部材）
８３        ビス（係着部材）
８３ｂ      頭部（連結解除操作部）
９２ｂ      取付片（第２連結部）
９３        連結具（係着部材）
９３ｂ      ボタン部材（連結解除操作部）
Ｐ          球
【図１】
2010194346.tif 000003
【図２】
2010194346.tif 000004
【図３】
2010194346.tif 000005
【図４】
2010194346.tif 000006
【図５】
2010194346.tif 000007
【図６】
2010194346.tif 000008
【図７】
2010194346.tif 000009
【図８】
2010194346.tif 000010
【図９】
2010194346.tif 000011
【図１０】
2010194346.tif 000012
【図１１】
2010194346.tif 000013
【図１２】
2010194346.tif 000014
【図１３】
2010194346.tif 000015
【図１４】
2010194346.tif 000016